(57)【要約】【課題】パレット構造の磨耗等が生じにくく且つパレットとスリーブの確実な固定が可能な組み立て式コンテナを提供することを目的とする。【解決手段】スリーブ２に該スリーブ２の表面に対して平行な平面上を回動することが可能な鉤部材４が取り付けられ、パレット１に該鉤部材４に掛止される受け口部１２が形成されている組み立て式コンテナＡ。また、鉤部材４がスリーブ２に形成された切り欠き部２１に収納状態で取り付けられている組み立て式コンテナＡ。【選択図】図２
2008056256.tif 000002
【特許請求の範囲】
【請求項１】
底を形成するパレットと、該パレットの周縁部に設けられた溝部に嵌合し側壁を形成するスリーブと、該スリーブ上に載置される蓋部とからなる組み立て式コンテナにおいて、
前記スリーブに該スリーブの表面に対して平行な平面上を回動することが可能な鉤部材が取り付けられ、パレットに該鉤部材に掛止される受け口部が形成されていることを特徴とする組み立て式コンテナ。
【請求項２】
前記鉤部材は一端に爪部を有しており、その他端側に設けられた軸を中心に回動して爪部が受け口部の開口に挿入されることにより、該鉤部材が受け口部に掛止されることを特徴とする請求項１記載の組み立て式コンテナ。
【請求項３】
前記鉤部材には手動により回動させるための摘まみ片または指入れ孔が設けられていることを特徴とする請求項２記載の組み立て式コンテナ。
【請求項４】
前記鉤部材がスリーブに形成された切り欠き部に収納状態で取り付けられていることを特徴とする請求項１記載の組み立て式コンテナ。
【請求項５】
前記受け口部がパレットの周縁部に設けられた溝部内に形成されていることを特徴とする請求項１記載の組み立て式コンテナ。
【請求項６】
前記受け口部が溝部内に設けられた膨出部の一部を開口することにより形成されていることを特徴とする請求項５記載の組み立て式コンテナ。
【請求項７】
鉤部材が軸止部材により回動可能に取り付けられており、該軸止部材は第一固定部材と鉤部材と一体に回動する第二固定部材とよりなり、スリーブを挟むように第一固定部材と第二固定部材とが係合しており、第一固定部材には第二固定部材の掛止溝に係合する掛止突起が設けられ、両者の掛合により鉤部材の回動を間欠的に仮停止可能としたことを特徴とする組み立て式コンテナ。
【請求項８】
スリーブの鉤部材当接部分に保護用の薄シートを貼り付け、且つ該薄シートの一部をスリーブ端面から裏側にまで延長して貼り付けたことを特徴とする請求項７記載の組み立て式コンテナ。
【発明の詳細な説明】
【技術分野】
【０００１】
本発明は組み立て式コンテナに関し、更に詳しくは、スリーブ表面にパレットとスリーブとを固定するための固定具が取り付けられた組み立て式コンテナに関する。
【背景技術】
【０００２】
従来、貨物の輸送に際して底を形成するパレットと、該パレットの周縁部に形成された溝に載置されて側壁をなすスリーブと、該スリーブの上に載置される蓋部とからなる組み立て式コンテナが用いられている。
【０００３】
このような従来の組み立て式コンテナには、輸送中に組み立て式コンテナに加わった衝撃等によってパレットとスリーブとが外れないよう固定するために、両者間に固定機構が備えられている。
【０００４】
例えば、特許文献１に記載されているように、パレット３００に形成された溝部の側壁から水平方向に棒爪１００を突出させ、該棒爪１００がスリーブ２００に形成された受け口２０１に差し込まれることで、スリーブ２００とパレット３００とが固定される機構である（図１０参照）。
このスリーブ２００の固定機構では、一旦突出させた棒爪１００が安易に受け口２０１から抜脱しないように、棒爪１００の基部につまみ部１０１が突出形成されている。
すなわち、このつまみ部１０１が摺動する移動路３０１には一部が狭められた狭壁部が形成されており、そのため、つまみ部１０１を強く移動させて棒爪１００が受け口２０１に一旦差し込まれた後は、棒爪１００に一定以上の力が加わらない限り受け口２０１から容易に離脱するようなことがない。
【特許文献１】特表平６−５０４７４９号公報
【発明の開示】
【発明が解決しようとする課題】
【０００５】
しかし、上記固定機構で固定する組み立て式コンテナを長期間に渡って繰り返し使用すると、移動路３０１の狭壁部は磨耗して徐々にその幅が拡大する。
その結果、僅かな衝撃により棒爪１００が移動して（すなわちパレット内に収納される方向に移動して）受け口２０１から抜脱し、不用意にもパレットとスリーブとの固定が外れることがある。
【０００６】
通常、移動路３０１はパレットと一体成形されているため、狭壁部は磨耗した場合移動路３０１のみの取替えは不可能であり、新しいパレットと交換しなければならず不経済である。
【０００７】
また、上記棒爪１００はパレット３００の移動路３０１に沿って摺動自在な状態で内部に配設される構造であるためパレット自体のこの部分の構造が複雑となる。
特にパレットを、金型を用いて成形しようとした場合は、アンダーカット等により金型形状が複雑となるため製造コスト的な負担も大きい。
更には、このような棒爪１００は水平方向に直線移動してスリーブ２００の受け口２０１に入るような構造であるために、パレット３００とスリーブ２００とが固定された状態では棒爪１００は常に曲げ応力を受けていることとなる。
そのため、コンテナに衝撃等が加わってパレット３００とスリーブ２００とが離間する方向に力が加わると棒爪１００が曲がり、以後、受け口２０１への差し込みに支障が生じて、固定操作が困難となる。
【０００８】
本発明は以上の課題を解決すべく開発されたものである。
すなわち、パレット構造の磨耗等が生じにくく且つパレットとスリーブの確実な固定が可能な組み立て式コンテナを提供することを目的とする。
【課題を解決するための手段】
【０００９】
本発明者は、以上のような課題背景をもとに鋭意研究を重ねた結果、スリーブに該スリーブの表面に対して平行な平面上を回動することが可能な鉤部材を設けてパレットの受け口に掛止する構造とすることで、上記の課題を解決できることを見出し、その知見に基づいて本発明を完成させたものである。
【００１０】
すなわち本発明は、（１）底を形成するパレットと、該パレットの周縁部に設けられた溝部に嵌合し側壁を形成するスリーブと、該スリーブ上に載置される蓋部とからなる組み立て式コンテナにおいて、前記スリーブに該スリーブの表面に対して平行な平面上を回動することが可能な鉤部材が取り付けられ、パレットに該鉤部材に掛止される受け口部が形成されている組み立て式コンテナに存する。
【００１１】
また本発明は、（２）前記鉤部材は一端に爪部を有しており、その他端側に設けられた軸を中心に回動して爪部が受け口部の開口に挿入されることにより、該鉤部材が受け口部に掛止される上記（１）記載の組み立て式コンテナに存する。
【００１２】
また本発明は、（３）前記鉤部材には手動により回動させるための摘まみ片または指入れ孔が設けられている上記（２）記載の組み立て式コンテナに存する。
【００１３】
また本発明は、（４）前記鉤部材がスリーブに形成された切り欠き部に収納状態で取り付けられている上記（１）記載の組み立て式コンテナに存する。
【００１４】
また本発明は、（５）前記受け口部がパレットの周縁部に設けられた溝部内に形成されている上記（１）記載の組み立て式コンテナに存する。
【００１５】
また本発明は、（６）前記受け口部が溝部内に設けられた膨出部の一部を開口することにより形成されている上記（５）記載の組み立て式コンテナに存する。
【００１６】
また本発明は、（７）鉤部材が軸止部材により回動可能に取り付けられており、該軸止部材は第一固定部材と鉤部材と一体に回動する第二固定部材とよりなり、スリーブを挟むように第一固定部材と第二固定部材とが係合しており、第一固定部材には第二固定部材の掛止溝に係合する掛止突起が設けられ、両者の掛合により鉤部材の回動を間欠的に仮停止可能としたことを特徴とする組み立て式コンテナに存する。
【００１７】
また本発明は、（８）スリーブの鉤部材当接部分に保護用の薄シートを貼り付け、且つ該薄シートの一部をスリーブ端面から裏側にまで延長して貼り付けた上記（７）記載の組み立て式コンテナに存する。
【００１８】
なお、本発明の目的に添ったものであれば上記（１）から（８）を適宜組み合わせた構成も採用可能である。
【発明の効果】
【００１９】
本発明の組み立て式コンテナは、底を形成するパレットと、該パレットの周縁部に設けられた溝部に嵌合し側壁を形成するスリーブと、該スリーブ上に載置される蓋部とからなり、スリーブには該スリーブの表面と平行な平面上を回動することが可能な鉤部材が取り付けられ、パレットに該鉤部材に掛止される受け口部が形成されているので、スリーブがパレットと離間するような作用を受けた際にも鉤部材が受け口部に掛止されて、スリーブがパレットから外れることが防止される。
【００２０】
さらに、鉤部材はスリーブとは別体で設けられているので、該鉤部材が破損や磨耗等した際には容易に交換することができる。
従来のパレットのように固定機構が使用不可能になる度にパレット全体を取り替える必要がないので極めて経済的である。
また、スリーブに取り付けられた爪部がパレットの受け口部に掛止して固定されるために、鉤部材に曲げ力が加わったり、鉤部材が磨耗したりしない。
また鉤部材によってパレットがスリーブに引き付けられるように作用するために両者の固定がより確実となる。
【００２１】
また、鉤部材はスリーブに形成された切り欠き部に収納状態で取り付けられるので、鉤部材がスリーブの表面から突出しない。従って、スリーブをパレットに形成される溝部に嵌合する際に、鉤部材が邪魔にならず、溝部の幅をスリーブの厚み以上に広くする必要がない。
【発明を実施するための最良の形態】
【００２２】
〔第一の実施形態〕
本発明の一実施形態について図面を用いて説明する。
図１は、本実施形態に係る組み立て式コンテナを概略的に示した斜視図である。
図１に示すように、本実施形態に係る組み立て式コンテナＡは、底を形成するパレット１と、該パレットの周縁部に設けられた溝部に嵌合して側壁を形成するスリーブ２、またスリーブ上に載置される蓋部３とよりなる。
そしてスリーブには鉤部材４が取り付けられており、またパレット１には該鉤部材４を掛止するための図示しない受け口部が形成されている。
【００２３】
パレット１はフォークリフトのフォークが挿入されるための空間Ｓを形成する脚部１１を備える。
この脚部１１によって地面とパレット１との間に空間Ｓが形成され、該空間Ｓにフォークが容易に挿入される。
本実施形態に係る組み立て式コンテナＡを移動させる際には、上記空間Ｓにフォークを挿入し、パレットごと上記組み立て式コンテナ全体を持ち上げて移動させる。
【００２４】
ところでパレット１にはその周縁部に溝部が形成されており、該溝部にはスリーブ２が直立した状態で嵌合載置される。
この溝部はスリーブ２を載置した際に、スリーブ２が自発的に倒れない程度の安定性を確保できる程度の深さを有すればよい。
この溝部の底壁には、後述する鉤部材４が掛止されるための受け口部が形成される。
【００２５】
なお、パレット１の材質は、組み立て式コンテナＡ内に詰め込まれる貨物の重量に耐えられる材料であれば特に限定されるものではなく、例えば、合成木材やプラスチック材等が採用される。
特に、プラスチック材を用いてブロー成形により中空二重壁構造とすることで軽量かつ剛性の高いパレットを得ることができる。
【００２６】
一方、スリーブ２は前述したようにパレット１に形成された溝部に直立した状態で嵌合載置されており、内部に貨物の収納空間を形成する。
スリーブ２は、その高さを大きくすることで組み立て式コンテナＡ自体の容量を増加させることができ、逆にその高さを小さくすることで組み立て式コンテナＡ自体の容量を小さくすることができる。
【００２７】
なお、スリーブ２の材質としては、組み立て式コンテナＡの重量を軽くするためにダンボール紙や合成木材、プラスチック材等が用いられる。
ダンボール紙製のスリーブを採用した場合、角部から容易に折り畳み自在となり、保管効率に優れる。
【００２８】
スリーブ２には後述する矩形状の図示しない切り欠き部が形成されており、この部分は後述するような鉤部材４を収納する部分となる。
【００２９】
鉤部材４はスリーブ２に取り付け具Ｐを介して切り欠き部に取り付けられており、鉤部材４は取り付け具Ｐを軸（ボルト、螺子等でもよい）として、スリーブの表面に平行な平面上を自在に回動することが可能となっている。
【００３０】
図２は、鉤部材と受け口部との斜め方向から見た関係を示す説明図である。
また、図３は鉤部材と受け口部との側面から見た関係を示す説明図である。
更に、図４は取り付け具のスリーブへの取り付け態様の一例を示す説明図である。  
図４（ａ）に示すように、取り付け具５は折り曲げ板状の第１板部材５１と平板状の第２板部材５２とよりなる。
そのため取り付け具５のスリーブ２への取り付けは、スリーブ２の外側の面から第１板部材５１（詳しくは当接部５１Ｂ）を該スリーブ表面に当接させ、またスリーブ２の内側の面から第２板部材５２をスリーブ表面に当接させる。
この場合、第１板部材５１の折り曲げ部５１Ａが、丁度スリーブ２の切り欠き部２１に嵌まり込んだ状態となり、切り欠き部２１の周縁を保護或いは補強する。
【００３１】
第２板部材５２の両端部には突出した雌ねじ部５２Ａが形成されており、該雌ねじ部５２Ａはスリーブ２に形成されている貫通穴２２に挿入される。
第１板部材側から螺子Ｎを螺合させることによりスリーブ２を第１板部材５１と第２板部材５２との間で挟み込むようにして締め付け固定する〔図４（ｂ）参照〕。
取り付け具５は、上述したように取り付けられるので、スリーブ２の表面から突出することがなく邪魔にならない。
【００３２】
鉤部材４について更に述べると、鉤部材４には腕部４１の先端に爪部４２が形成されており（図２、図３参照）、その他端を軸として回動し、この爪部４２がパレット１に形成された受け口部１２の開口に挿入されて掛止される。受け口部１２はパレット１の溝部内に開口形成されており、受け口部１２を後述する溝部内に形成した図示しない膨出部に設けることにより鉤部材がスリーブの下端より突出することなくスリーブに形成された切り欠き部に収納状態で取り付けることができる。
なお、受け口部１２はパレット１の底壁１３の一部を切除することにより容易に開口形成することができる。特に、中空二重壁構造を有するパレットでは爪部４２は中空部内に挿入されることとなるため、掛止状態で爪部４２がパレットの外部に露出することがなく、爪部４２の破損等を防止することができる。
また鉤部材４には、使用者が鉤部材４を回動させ易いように摘み片４３が設けられている。
【００３３】
通常は、鉤部材４はスリーブ２に形成された切り欠き部２１にやや斜めになった状態で待機しているが、摘み片４３を摘んで図でいう時計回りに回動させると、爪部４２は鉤部材が垂直となった状態で受け口部１２に掛止される。
【００３４】
すなわち、爪部４２がパレットの溝部の底壁１３の裏側に当接して掛止される。
この場合、爪部４２に形成された腕部４１より広い面積を有する広面部４２Ａが、底壁１３の裏側に当接するので、爪部４が一定の面積で底壁１３の裏側を圧接支持するように作用する。
そのため底壁１３が窪んだりすることなく、パレット１とスリーブ２とは確実に固定され、スリーブ２の上下方向のガタツキ等は生じない。
【００３５】
一方蓋部３にもパレット１と同様に周縁部に溝部が形成されており、該溝部にスリーブ２が嵌合することで、蓋部３はスリーブ２の上に安定支持される。
【００３６】
この蓋部３においても、前述したパレット１とスリーブ２の間と同じような固定構造を備えることも可能である。
図５は、パレット１とスリーブ２との間と同じような固定構造を蓋部３とスリーブ２との間で備えた組み立て式コンテナの例を示す。
この場合も、蓋部３に形成された溝部にも受け口部が形成され、スリーブ２の上端に取り付け具５を介して鉤部材４が該受け口部に掛止されることで、スリーブ２と蓋部３とを固定することができる。
【００３７】
[第二の実施形態]
図６は本実施形態に係る鉤部材付き組み立て式コンテナの、鉤部材周辺の状態を拡大して示す概略図である。また、図７は図６をスリーブを挟んで裏側から見た状態を示す概略図である。
図６に示すように、本実施形態に係る鉤部材付き組み立て式コンテナの鉤部材４は、矩形板状をしており、該鉤部材４の底辺から所定の距離だけ離れた位置を切り欠くことで鉤部材４の下端に爪部４２が形成される。
一方、パレット１には、爪部４２が係合するための受け口部１２が、スリーブ２が嵌合するための溝部内に隆起した膨出部１４の一部をトンネル状に開口して形成される。
この爪部４２がパレット１の受け口部１２と係合し、パレット１とスリーブ２とを固定する。
鉤部材４は後述する固定部材によってスリーブ表面を滑るように回動することができる。
【００３８】
鉤部材４には、該鉤部材４を回動させる際に指を入れるための指入れ孔４５が形成される。
なお、指入れ孔４５に指を入れた際に、該指入れ孔４５の縁で指を痛めることを防止するために、キャップを指入れ孔４５に取り付けることが好ましい。なお、キャップを取り付けた際には、該キャップがスリーブ２と接触することを防ぐためおよび溝部内に形成された膨出部１４とスリーブ２の下端が干渉することを防止するため、スリーブ２に切り欠き部２１を形成することが好ましい（図７参照）。
鉤部材４は軸止部材によってスリーブ２に沿って回動自在に固定される。
【００３９】
図８は、軸止部材を用いて、本実施形態に係る鉤部材をスリーブに固定した状態を示す断面図である。
なお、図８（ａ）は第一固定部材と第二固定部材とを係合する前を示す断面図であり、図８（ｂ）は第一固定部材と第二固定部材とを係合した後を示す断面図である。
図８（ａ）に示すように、鉤部材付き組み立て式コンテナの鉤部材４をスリーブ２に固定するための軸止部材は、第一固定部材６Ａと第二固定部材６Ｂとからなる。この第一固定部材と第二固定部材とはスリーブを挟むように相互に係合する。
【００４０】
図８（ｂ）に示すように、後述する第一固定部材６Ａの係止部材６Ａ１が、後述する第二固定部材６Ｂの縮径部Ｈに係止されることで、第一固定部材６Ａは第二固定部材６Ｂに固定され抜けなくなる。
このことを利用して鉤部材４はスリーブ２に取り付けられる。鉤部材４がスリーブ２に取り付けられた状態においては、第一固定部材６Ａと鉤部材４とは嵌め込み等により一体に固定される。
【００４１】
第一固定部材６Ａは基板に一対の係止部材６Ａ１と、それと交差位置にある一対の掛止部材６Ａ２とが環状に立設されてなる。
係止部材６Ａ1には、第一固定部材６Ａが第二固定部材６Ｂから抜けることを防止するための係止突起Ｆが形成されている。
掛止部材６Ａ２には、掛止突起Ｇが形成されている。この掛止突起Ｇが後述する第二固定部材６Ｂの掛止溝Ｉに掛止されることで、使用者が鉤部材４を間欠的に回動でき使用者の操作にいわゆるクリック感が生じる。
【００４２】
一方、第二固定部材６Ｂは、円筒形の本体部６Ｂ１と、該本体部６Ｂ１の縁から外側に延出する鍔部とを有する。
本体部６Ｂ１の内壁には、該内壁から突設された縮径部Ｈが形成されている。
縮径部Ｈには、前述した掛止突起Ｇが掛止されるための掛止溝Ｉが複数本形成され、また、その掛止溝Ｉと対向した位置にも別の掛止溝Ｉが複数本形成される。
【００４３】
図９は、第一固定部材及び第二固定部材が嵌合した状態を示す正面図である。
図９に示すように、第一固定部材６Ａと第二固定部材６Ｂとを嵌合させると、第一固定部材６Ａの係止部材６Ａ1の係止突起Ｆが第二固定部材６Ｂの縮径部Ｈの縁に係止される。      
その結果、第一固定部材６Ａは第二固定部材６Ｂに固定されて抜けなくなる。
【００４４】
一方、第一固定部材６Ａの掛止部材６Ａ２の掛止突起Ｇは、第二固定部材６Ｂの掛止溝Ｉに掛止される。
第一固定部材６Ａは鉤部材４と一体となって動くので、鉤部材４が回動した際に、掛止突起Ｇは順次掛止溝Ｉに掛合される。
そのため、鉤部材４を一定角度間欠的に仮停止させながら回動させることができる。
この仮停止位置は、鉤部材４の爪部４２がパレット１の受け口部１２と係合し終わった状態や係合が外れた状態にあることが好ましい。
ところで本実施の形態においては、スリーブ２と鉤部材４とは接触した状態にある。そのため、鉤部材４の回動を繰り返し行うと、鉤部材４とスリーブ２との当接面が摩耗していく。
この磨耗を防ぐために、鉤部材４とスリーブ２との当接面に保護用の薄シートを貼り付けることが好ましい。
また薄シートの一部をスリーブ２の端面（通常、切断面となっている）から裏側にまで延長して貼り付けると、上記端面が保護される。
スリーブ２が段ボールよりなる場合は端部の強度が大きく維持される。
なお、この保護用の薄シートには鉤部材４の回動方向を示すべくロック又はアンロックの方向を示す矢印を印刷しておくことができる。
【００４５】
以上、本発明を説明してきたが、本発明は実施の形態に限定されることなく種々の変形例が可能である。
例えば、鉤部材４が受け口部１２に掛止された際に、鉤部材４が受け口部から外れる方向に回動することを防止するための安全手段を設けることができる。
【００４６】
また、取り付け具の構造としては、２枚の板部材よりなる構造としたが、一体化したものでもよく、鉤部材４を安定した状態で回動自在に支持できるものであれば他の構造も採用可能である。
【図面の簡単な説明】
【００４７】
【図１】図１は、本実施形態に係る組み立て式コンテナを概略的に示した斜視図である
【図２】図２は、鉤部材と受け口部との斜め方向から見た関係を示す説明図である。
【図３】図３は、鉤部材と受け口との側面から見た関係を示す説明図である。
【図４】図４は取り付け具のスリーブへの取り付け態様の一例を示す説明図である。
【図５】図５は、固定構造を蓋部とスリーブ２との間で備えた組み立て式コンテナの例を示す説明図である。
【図６】図６は、本実施形態に係る鉤部材付き組み立て式コンテナの、鉤部材周辺の状態を拡大して示す概略図である。
【図７】図７は、図６をスリーブを挟んで反対側から見た状態を示す概略図である。
【図８】図８は、固定部材を用いて、本実施形態に係る鉤部材をスリーブに固定した状態を示す断面図である。
【図９】図９は、第一固定部材及び第二固定部材が嵌合した状態を示す正面図である。
【図１０】図１０は、従来のパレットのつまみ部周辺を模式的に示した図である。
【符号の説明】
【００４８】
１…パレット
１１…脚部
１２…受け口部
１３…底壁
１４…膨出部
２…スリーブ
２１…切り欠き部
２２…貫通穴
３…蓋部
４…鉤部材
４１…腕部
４２…爪部
４２Ａ…広面部
４３…摘み片
４４…切り欠き部
４５…指入れ孔
５…取り付け具
５１…第１板部材
５１Ａ…折り曲げ部
５１Ｂ…当接部
５２…第２板部材
５２Ａ…雌ねじ部
６Ａ…第一固定部材
６Ａ１…係止部材
６Ａ２…掛止部材
６Ｂ…第二固定部材
６Ｂ１…本体部
６Ｂ２…円筒部
Ｆ…係止突起
Ｇ…掛止突起
Ｉ…掛止溝
Ｎ…螺子
Ｐ…取り付け具
Ｓ…空間
【図１】
2008056256.tif 000003
【図２】
2008056256.tif 000004
【図３】
2008056256.tif 000005
【図４】
2008056256.tif 000006
【図５】
2008056256.tif 000007
【図６】
2008056256.tif 000008
【図７】
2008056256.tif 000009
【図８】
2008056256.tif 000010
【図９】
2008056256.tif 000011
【図１０】
2008056256.tif 000012